(57)【要約】【課題】  騒音を低減することができる無電極放電灯点灯装置を提供する。【解決手段】  無電極放電灯Ｌａに近接配置された誘導コイル３と、誘導コイルに高周波電力を供給するインバータ回路１と、インバータ回路１の出力の周波数を制御する制御回路２とを備える。制御回路２は、インバータ回路１の出力の周波数を、無電極放電灯Ｌａが不点灯状態となる始点周波数から無電極放電灯Ｌａが点灯状態となる終点周波数との間で徐々に変化させるスイープ動作を、所定の調光周波数で繰り返すことにより無電極放電灯Ｌａの光出力を制御する。インバータ回路１の出力電圧のピーク値を検出する検出部２２を備え、制御回路２は、調光制御時に、検出部２２によって検出されたピーク電圧が所定値を超えたときに、インバータ回路１の出力電圧の最大値を下げるように終点周波数を制御する。【選択図】図１
2008010214.tif 000002
【特許請求の範囲】
【請求項１】
透光材料からなるバルブに放電ガスが封入されてなる無電極放電灯に近接配置された誘導コイルに高周波電力を供給し誘導コイルに高周波電磁界を発生させこの高周波電磁界によってバルブ内に放電を発生させる無電極放電灯点灯装置であって、
無電極放電灯に近接配置された誘導コイルと、
誘導コイルに高周波電力を供給する電源部と、
電源部の出力の周波数を制御する制御部とを備え
制御部は、電源部の出力の周波数を、無電極放電灯が不点灯状態となる始点周波数から無電極放電灯が点灯状態となる終点周波数まで徐々に変化させるスイープ動作を、所定の調光周波数で繰り返すことにより無電極放電灯の光出力を制御する調光制御を行うものであって、
電源部の出力電圧に関連した検出値を検出する検出部を備え、
制御部は、調光制御時に、検出部によって検出された検出値に基づいて、電源部の出力電圧を所定値以下に抑えるように終点周波数を制御することを特徴とする無電極放電灯点灯装置。
【請求項２】
検出部による検出値は、電源部の出力電圧のピーク値であることを特徴とする請求項１記載の無電極放電灯点灯装置。
【請求項３】
検出部による検出値は、電源部の出力電圧の上昇速度であることを特徴とする請求項１記載の無電極放電灯点灯装置。
【請求項４】
検出部は、電源部の出力が入力される第１の積分回路と、第１の積分回路の出力が入力される微分回路と、微分回路の出力が入力され出力を制御部に入力する第２の積分回路とからなり、
第１の積分回路のカットオフ周波数は調光周波数よりも大きく電源部の出力の周波数よりも小さく、
第２の積分回路のカットオフ周波数は調光周波数よりも小さいことを特徴とする
請求項３記載の無電極放電灯点灯装置。
【請求項５】
制御部は、検出部によって検出された検出値に基づいて電源部の出力電圧が所定の閾値を超えたことが検出されたときに、電源部の出力電圧を下げる方向に終点周波数を所定幅だけ変更することを特徴とする請求項１〜４のいずれか一項に記載の無電極放電灯点灯装置。
【請求項６】
制御部は、検出部によって検出された検出値を所定の値に維持するように終点周波数をフィードバック制御することを特徴とする請求項１〜４のいずれか一項に記載の無電極放電灯点灯装置。
【請求項７】
制御部は、終点周波数を変更する際に始点周波数を終点周波数と同じ方向に変更することを特徴とする請求項１〜６のいずれか一項に記載の無電極放電灯点灯装置。
【請求項８】
制御部は、始点周波数を変更する幅を、終点周波数を変更する幅と同じとすることを特徴とする請求項７記載の無電極放電灯点灯装置。
【請求項９】
周囲温度を検出する温度検出部を備え、制御部は温度検出部によって検出された温度に基づいて誘導コイルの温度特性を打ち消す方向に終点周波数を変更することを特徴とする請求項１〜８のいずれか一項に記載の無電極放電灯点灯装置。
【請求項１０】
請求項１〜９のいずれか一項に記載の無電極放電灯点灯装置と、無電極放電灯を保持するソケットとを備えることを特徴とする照明器具。
【発明の詳細な説明】
【技術分野】
【０００１】
本発明は、無電極放電灯点灯装置及び該無電極放電灯点灯装置を用いた照明器具に関するものである。
【背景技術】
【０００２】
従来から、例えばガラスのような透光性を有する材料からなるバルブに放電ガスが封入されてなる無電極放電灯を点灯させる無電極放電灯点灯装置が提供されている。この種の無電極放電灯点灯装置は、無電極放電灯に近接配置される誘導コイルと、誘導コイルに高周波電力を供給する電源部とを備え、誘導コイルによって無電極放電灯のバルブ内に高周波電磁界を発生させるものである。高周波電磁界によって無電極放電灯のバルブ内に放電が発生すると、励起された放電ガスが紫外線を放出する。無電極放電灯のバルブの内面には蛍光体が塗布されており、この蛍光体によって上記紫外線が可視光に変換されることにより、無電極放電灯は発光する。
【０００３】
ここで、誘導コイルの両端電圧（すなわち電源部の出力電圧。以下、単に「出力電圧」と呼ぶ。）Ｖｃｏｉｌは、電源部の出力の周波数（以下、「動作周波数」と呼ぶ。）ｆｉｎｖに対して図１８のような関係を有する。すなわち、動作周波数ｆｉｎｖが、電源部と誘導コイルと無電極放電灯とが構成する共振回路の共振周波数に近いほど、出力電圧Ｖｃｏｉｌは増加する。従って、電源部の出力の周波数を制御することにより、無電極放電灯に供給される電力を制御することができる。また、上記関係は、無電極放電灯の不点灯時は曲線ａのようになり、無電極放電灯の点灯時は曲線ｂのようになるといったように、無電極放電灯の点灯・消灯で変化する。上記動作周波数ｆｉｎｖは、一般に共振周波数よりも高い範囲で制御される。
【０００４】
この種の無電極放電灯点灯装置として、始動時に、電源部の出力の周波数を、所定の始点周波数から、始点周波数よりも低い周波数であって無電極放電灯が確実に点灯状態となる終点周波数まで徐々に低下させるスイープ動作を行うものが提供されている（例えば、特許文献１参照）。すなわち、気温や経年変化による特性の変化を上記スイープ動作によって吸収し、安定した始動を可能とするのである。
【０００５】
また、図１９に示すように、上記スイープ動作を所定の周期で繰り返し、人間の目に認識できない例えば１００ｋＨｚ以上の速さで無電極放電灯を明滅させることにより、無電極放電灯を調光する無電極放電灯点灯装置も提供されている。この場合、始点周波数としては無電極放電灯が確実に不点灯状態となる程度に高い周波数が選択される。出力電圧Ｖｃｏｉｌは、無電極放電灯の点灯時に、出力電圧Ｖｃｏｉｌと動作周波数ｆｉｎｖとの関係が変化するのに対応したピーク電圧（以下、「始動電圧」と呼ぶ。）Ｖｉｇｎをとる。
【特許文献１】特開２０００−３５３６００号公報
【発明の開示】
【発明が解決しようとする課題】
【０００６】
しかし、例えば図２０に示すように、無電極放電灯Ｌａの周囲に導電体からなる反射板ＲＥが配置されている場合、矢印Ａ１で示すように反射板ＲＥに電流が誘導されることにより、無電極放電灯点灯装置の回路の特性が変化する。反射板ＲＥが円筒形状の場合、誘導コイル３のインダクタンスは反射板ＲＥの直径が小さい（すなわち、反射板ＲＥが誘導コイル３に近い）ほど小さくなる。また、誘導コイルには、インダクタンス向上のために磁性体からなるコアが取り付けられることがあり、コアの透磁率は一般に温度特性を有するため、無電極放電灯点灯装置の回路の特性は周囲温度によっても変化する。例えば、周囲温度が高いほどコアの透磁率が高くなる場合には、周囲温度が高いほど誘導コイル３のインダクタンスは高くなる。
【０００７】
上記要因により、出力電圧Ｖｃｏｉｌと動作周波数ｆｉｎｖとの関係が例えば図２１に破線で示す曲線ａ１から実線で示す曲線ａ２のように共振周波数を高くする方向に変化した場合を考える。曲線ａ１，ａ２はピークすなわち共振周波数に近いほど、動作周波数ｆｉｎｖに対する出力電圧Ｖｃｏｉｌの変化が大きくなる。従って、上記の場合、始点周波数ｆｓｔから終点周波数ｆｅｎに変化させるまでの時間で、出力電圧Ｖｃｏｉｌがより急速に上昇することになる。そして、点灯時の出力電圧Ｖｃｏｉｌの上昇が速いほど、無電極放電灯が点灯するときの動作周波数ｆｉｇｎにおける始動電圧Ｖｉｇｎは高くなる。この結果、図２２の期間Ｔ２のように、始動電圧は誘導コイル３のインダクタンスＬｃｏｉｌが変化する前の期間Ｔ１の始動電圧Ｖｉｇｎ１よりも高いＶｉｇｎ２となる。このように始動電圧Ｖｉｇｎが高くなると、誘導コイルのコアなどに発生するひずみが大きくなることにより、上記ひずみに起因する作動音が大きくなり騒音となってしまう。
【０００８】
本発明は上記事由に鑑みて為されたものであり、その目的は、騒音を低減することができる無電極放電灯点灯装置を提供することにある。
【課題を解決するための手段】
【０００９】
請求項１の発明は、透光材料からなるバルブに放電ガスが封入されてなる無電極放電灯に近接配置された誘導コイルに高周波電力を供給し誘導コイルに高周波電磁界を発生させこの高周波電磁界によってバルブ内に放電を発生させる無電極放電灯点灯装置であって、無電極放電灯に近接配置された誘導コイルと、誘導コイルに高周波電力を供給する電源部と、電源部の出力の周波数を制御する制御部とを備え、制御部は、電源部の出力の周波数を、無電極放電灯が不点灯状態となる始点周波数から無電極放電灯が点灯状態となる終点周波数まで徐々に変化させるスイープ動作を、所定の調光周波数で繰り返すことにより無電極放電灯の光出力を制御する調光制御を行うものであって、電源部の出力電圧に関連した検出値を検出する検出部を備え、制御部は、調光制御時に、検出部によって検出された検出値に基づいて、電源部の出力電圧を所定値以下に抑えるように終点周波数を制御することを特徴とする。
【００１０】
この発明によれば、電源部の出力電圧が所定値以下に抑えられるから、誘導コイルのひずみに起因する作動音が低減される。
【００１１】
請求項２の発明は、請求項１の発明において、検出部による検出値は、電源部の出力電圧のピーク値であることを特徴とする。
【００１２】
請求項３の発明は、請求項１の発明において、検出部による検出値は、電源部の出力電圧の上昇速度であることを特徴とする。
【００１３】
請求項４の発明は、請求項３の発明において、検出部は、電源部の出力が入力される第１の積分回路と、第１の積分回路の出力が入力される微分回路と、微分回路の出力が入力され出力を制御部に入力する第２の積分回路とからなり、第１の積分回路のカットオフ周波数は調光周波数よりも大きく電源部の出力の周波数よりも小さく、第２の積分回路のカットオフ周波数は調光周波数よりも小さいことを特徴とする。
【００１４】
この発明によれば、第１の積分回路や微分回路を設けない場合に比べ、ノイズの影響が除去されやすいから、電源部の出力により精度よく対応した動作が可能となる。
【００１５】
請求項５の発明は、請求項１〜４のいずれかの発明において、制御部は、検出部によって検出された検出値に基づいて電源部の出力電圧が所定の閾値を超えたことが検出されたときに、電源部の出力電圧を下げる方向に終点周波数を所定値だけ変更することを特徴とする。
【００１６】
請求項６の発明は、請求項１〜４のいずれかの発明において、制御部は、検出部によって検出された検出値を所定の閾値に維持するように終点周波数をフィードバック制御することを特徴とする。
【００１７】
この発明によれば、電源部の出力電圧が低下したときには電源部の出力電圧を上昇させる方向に終点周波数を変更することにより、電源部の出力電圧を確保して無電極放電灯の光出力の低下やちらつちや立ち消えを抑制することができる。
【００１８】
請求項７の発明は、請求項１〜６のいずれかの発明において、制御部は、終点周波数を変更する際に始点周波数を終点周波数と同じ方向に変更することを特徴とする。
【００１９】
この発明によれば、スイープ動作の開始時の出力電圧の上昇速度の増加を抑えることができるから、始点周波数を変更しない場合に比べて誘導コイルにおける騒音がより低減される。
【００２０】
請求項８の発明は、請求項７の発明において、制御部は、始点周波数を変更する幅を、終点周波数を変更する幅と同じとすることを特徴とする。
【００２１】
この発明によれば、スイープ動作の開始時の出力電圧の上昇速度の増加を請求項７の発明よりも確実に抑えることができる。
【００２２】
請求項９の発明は、請求項１〜８のいずれかの発明において、周囲温度を検出する温度検出部を備え、制御部は温度検出部によって検出された周囲温度に基づいて誘導コイルの温度特性を打ち消す方向に終点周波数を変更することを特徴とする。
【００２３】
この発明によれば、周囲温度の変化による誘導コイルの特性の変化に起因する出力電力の上昇が抑えられる。
【００２４】
請求項１０の発明は、請求項１〜９のいずれか記載の無電極放電灯点灯装置と、無電極放電灯を保持するソケットとを備えることを特徴とする。
【発明の効果】
【００２５】
本発明によれば、制御部によって電源部から誘導コイルへの出力電圧が所定値以下に抑えられるから、誘導コイルのひずみに起因する作動音が低減される。また、請求項４の発明によれば、第１の積分回路や微分回路を設けない場合に比べ、ノイズの影響が除去されやすいから、電源部の出力により精度よく対応した動作が可能となる。さらに、請求項６の発明によれば、電源部の出力電圧が低下したときには電源部の出力電圧を上昇させる方向に終点周波数を変更することにより、電源部の出力電圧を確保して無電極放電灯の光出力の低下やちらつちや立ち消えを抑制することができる。また、請求項７の発明によれば、始点周波数を終点周波数と同じ方向に変更することにより、スイープ動作の開始時の出力電圧の上昇速度の増加を抑えることができるから、始点周波数を変更しない場合に比べて誘導コイルにおける騒音がより低減される。さらに、請求項８の発明によれば、始点周波数を変更する幅を、終点周波数を変更する幅と同じとすることにより、スイープ動作の開始時の出力電圧の上昇速度の増加を請求項７の発明よりも確実に抑えることができる。また、請求項９の発明によれば、周囲温度に応じて終点周波数を変更することにより、周囲温度の変化による誘導コイルの特性の変化に起因する出力電力の上昇が抑えられる。
【発明を実施するための最良の形態】
【００２６】
以下、本発明を実施するための最良の形態について、図面を参照しながら説明する。
【００２７】
（実施形態１）
本実施形態は、図１に示すように、交流電源ＡＣから交流電力を電圧値ＶＤＣの直流電直に変換する直流電源Ｅと、直流電源Ｅが出力した直流電力を電圧値Ｖｃｏｉｌの高周波電力に変換する電源部としてのインバータ回路１と、インバータ回路１を制御する制御回路２と、インバータ回路１から供給される高周波電力により高周波電磁界を生成する誘導コイル３とを備える。無電極放電灯Ｌａは、誘導コイル３の近傍に配置される。
【００２８】
直流電源Ｅは、交流電源ＡＣから供給された交流電流を全波整流するダイオードブリッジＤＢと、ダイオードブリッジＤＢの出力端間に接続されたインダクタＬ１０とダイオードＤ１０と平滑コンデンサＣ１０との直列回路と、インダクタＬ１０とダイオードＤ１０との接続点とダイオードブリッジＤＢの低電圧側の出力端との間に接続されたスイッチング素子Ｑ６と、平滑コンデンサＣ１０の両端電圧を一定とするようにスイッチング素子Ｑ６をオンオフするデューティ比を制御する電圧制御部Ｅ１とを備える、周知の昇圧型コンバータである。
【００２９】
インバータ回路１は、直流電源の出力端間すなわち平滑コンデンサＣ１０の両端間に接続されたスイッチング素子Ｑ３，Ｑ４の直列回路と、ローサイドのスイッチング素子Ｑ４の両端間に接続されたインダクタＬｓと並列コンデンサＣｐとの直列回路と、誘導コイル３との直列回路が並列コンデンサＣｐに対して並列に接続された直列コンデンサＣｓと、スイッチング素子Ｑ３，Ｑ４を交互にオンオフ駆動する駆動部１１とを備える。
【００３０】
駆動部１１は、入力端ＣＯＮの電位に応じた周波数でスイッチング素子Ｑ３，Ｑ４をオンオフする。詳しく説明すると、駆動部１１は、図２に示すように、入力端子ＶＩから引き抜かれる電流Ｉｖｆに応じた周波数で各スイッチング素子Ｑ３，Ｑ４をそれぞれ駆動する電圧制御発振器ＶＣＯと、定電圧源Ｅ２と、定電圧源の出力を分圧して電圧制御発振器ＶＣＯの入力端子ＶＩに入力する分圧抵抗Ｒ１０，Ｒ１１と、分圧抵抗Ｒ１０，Ｒ１１の接続点と入力端ＣＯＮとの間に直列に接続されたダイオードＤ１１と抵抗Ｒ１２との直列回路とからなる。スイッチング素子Ｑ３，Ｑ４を交互にオンオフする周波数（すなわちインバータ回路１の出力の周波数。以下、「動作周波数」と呼ぶ。）ｆｉｎｖは、例えば図３に示すように入力端ＣＯＮの電位（以下、「制御電圧」と呼ぶ。）Ｖｆが大きくなるほど直線状に減少する。
【００３１】
制御回路２は、一端が定電圧源に接続された抵抗Ｒ１と、抵抗Ｒ１の他端に一端が接続されて他端がグランドに接続されたコンデンサＣ１と、例えばＦＥＴからなりコンデンサＣ１の両端間に接続されたスイッチング素子Ｑ７と、スイッチング素子Ｑ７とコンデンサＣ１とに並列に接続された抵抗Ｒ２，Ｒ３の直列回路と、正の入力端子が抵抗Ｒ１とコンデンサＣ１との接続点に接続され負の入力端子が抵抗Ｒ１３を介してグランドに接続されるとともに負の入力端子と出力端子とが抵抗Ｒ１４を介して接続された第１のオペアンプＯＰ１と、第１のオペアンプＯＰ１の出力端子と駆動部１１の制御端子との間に接続された抵抗Ｒ１５とダイオードＤ２との直列回路とからなるスイープ部２１を備える。スイッチング素子Ｑ７は、外部から入力される周波数（以下、「調光周波数」と呼ぶ。）ｆｐｗｍのＰＷＭ信号である調光信号によって駆動される。
【００３２】
スイープ部２１の動作について説明すると、スイッチング素子Ｑ７がオフされている期間には、定電圧源により抵抗Ｒ１を介してコンデンサＣ１が充電され、抵抗Ｒ１の抵抗値とコンデンサＣ１の容量値とによって決定される時定数τに応じて制御電圧Ｖｆが徐々に上昇し、これに伴って動作周波数ｆｉｎｖが始点周波数ｆｓｔから終点周波数ｆｅｎまで徐々に変化する。例えば動作周波数ｆｉｎｖが図３に示すように制御電圧Ｖｆに対して単調減少する場合、スイッチング素子Ｑ７がオフされている期間には動作周波数ｆｉｎｖは徐々に減少する。また、スイッチング素子Ｑ７がオンされると、コンデンサＣ１が抵抗Ｒ２，Ｒ３等を介して放電されることにより、制御電圧Ｖｆが低下し、動作周波数ｆｉｎｖが始点周波数ｆｓｔまで変化（図３の特性においては増加）する。この過程で、インバータ回路１の出力電圧Ｖｃｏｉｌが無電極放電灯Ｌａの点灯に必要な電圧を下回ることにより無電極放電灯Ｌａが消灯する。つまり、調光信号のデューティ比に応じて、無電極放電灯Ｌａの単位時間当たりの点灯時間すなわち光出力が変化する。ここで、図４に示すように、始点周波数ｆｓｔと終点周波数ｆｅｎとの間の動作周波数ｆｉｎｖは、インバータ回路１と誘導コイル３と無電極放電灯Ｌａとで構成される共振回路の共振周波数よりも高く維持されており、動作周波数ｆｉｎｖが低くなるほど、インバータ回路１の出力電圧Ｖｃｏｉｌは上昇する。ここで、終点周波数ｆｅｎとしてはインバータ回路１の出力電圧Ｖｃｏｉｌが無電極放電灯Ｌａを確実に点灯可能な程度に高くなる動作周波数ｆｉｎｖが選択され、始点周波数ｆｓｔとしてはインバータ回路１の出力電圧Ｖｃｏｉｌが無電極放電灯Ｌａが確実に消灯する程度に低くなる動作周波数ｆｉｎｖが選択されている。
【００３３】
また、制御回路２は、インバータ回路１の出力を整流及び積分する積分回路２２ａと積分回路２２ａの出力のピーク値を検出するピークホールド回路２２ｂとからなり検出値としてインバータ回路１の出力電圧Ｖｃｏｉｌの最大値を検出する検出部２２と、検出部２２の出力に応じてスイープ部２１のスイープ動作における終点周波数ｆｅｎを補正する補正部２３とを備える。
【００３４】
詳しく説明すると、積分回路２２ａは、一端が抵抗Ｒ１６とダイオードＤ２とを介してインバータ回路１の一方の出力端に接続されるとともに他端がグランドに接続されたコンデンサＣ２と抵抗Ｒ１７との並列回路と、アノ−ドがグランドに接続されるとともにカソードが抵抗Ｒ１６とダイオードＤ２との接続点に接続されたダイオードＤ３とを備える。積分回路２２ａのカットオフ周波数はインバータ回路１の出力の周波数ｆｉｎｖよりも小さくかつ調光周波数ｆｐｗｍよりも大きくしてあり、積分回路２２ａの出力すなわちコンデンサＣ２の充電電圧の波形は、インバータ回路１の出力の包絡線（エンベロープ）の形状となる。
【００３５】
ピークホールド回路２２ｂは、正の入力端子に積分回路２２ａの出力すなわちコンデンサＣ２の高電圧側の端子が接続された第２のオペアンプＯＰ２と、正の入力端子がダイオードＤ４を介して第２のオペアンプＯＰ２の出力端子に接続されるとともに出力端子と負の入力端子とがそれぞれ第２のオペアンプＯＰ２の負の入力端子に接続された第３のオペアンプＯＰ３と、それぞれ一端が第３のオペアンプＯＰ３とダイオードＤ４との接続点に接続され他端がグランドに接続された抵抗Ｒ１８とコンデンサＣ３とを備える。すなわち、第３のオペアンプＯＰ３の出力端子の電位は、積分回路２２ａの出力のピーク電圧に応じた電位となる。
【００３６】
補正部２３は、正の入力端子にピークホールド回路２２ｂの出力すなわち第３のオペアンプＯＰ３の出力端子が接続されるとともに負の入力端子に所定の基準電圧Ｖｒ１が入力された第４のオペアンプＯＰ４と、一端がスイープ部２１の抵抗Ｒ２，Ｒ３の接続点に鉄族され他端がグランドに接続されベースが抵抗Ｒ４を介して第４のオペアンプＯＰ４の出力端子に接続されたトランジスタＱ１１とを備える。すなわち、周囲温度などの要因によりインバータ回路１や誘導コイル３の特性が変化してインバータ回路１の出力電圧Ｖｃｏｉｌが上昇することにより、ピークホールド回路２２ｂの出力電圧が基準電圧Ｖｒ１を上回ると、第４のオペアンプＯＰ４の出力Ｖｏｕｔ（ＯＰ４）がＬからＨに切り替わる。すると、トランジスタＱ１１のベース電流により、スイープ部２１のコンデンサＣ１の両端電圧ＶＣ１の最大値が低下し、制御電圧Ｖｆの最大値が低下して終点周波数ｆｅｎが高くなり、これによってインバータ回路１の出力電圧Ｖｃｏｉｌの最大値が低下する。
【００３７】
本実施形態において、図４の曲線ａ１で示す状態から、曲線ａ２で示すように、インバータ回路１と誘導コイル３と無電極放電灯Ｌａとで構成される共振回路の共振周波数（以下、単に「共振周波数」と呼ぶ。）が高周波側にシフトし、図５及び図６の期間Ｔ２のように、ピーク電圧Ｖｉｇｎが、基準電圧Ｖｒ１に対応した所定の閾値電圧Ｖｔｈを上回る値Ｖｉｇｎ２となった場合、図６に示すように補正部のオペアンプＯＰ４の出力Ｖｏｕｔ（ＯＰ４）がＨレベルとなる。すると、図４のように終点周波数ｆｅｎが通常の期間Ｔ１での値ｆｅｎ１よりも高い値ｆｅｎ３となることにより、ピーク電圧Ｖｉｇｎが閾値電圧Ｖｔｈよりも低い値Ｖｉｇｎ３となるように制御される。上記変更後の終点周波数ｆｅｎ３と変更前の終点周波数ｆｅｎ１との差は、制御部２１の抵抗Ｒ２，Ｒ３の抵抗値に応じた一定値となる。上記動作により、インバータ回路１の出力電圧Ｖｃｏｉｌは閾値電圧Ｖｔｈを超えないように制御される。なお、本実施形態では、始点周波数ｆｓｔは一定値ｆｓｔ１に維持され変化しない。
【００３８】
上記構成によれば、インバータ回路１の出力電圧Ｖｃｏｉｌが上昇しすぎないように制御されることにより、誘導コイル３に過剰な電力が供給されることによる騒音が低減される。
【００３９】
なお、始動電圧Ｖｉｇｎが所定の閾値を下回ったときに、上記とは逆にスイープ部２１のコンデンサＣ１の充電電圧ＶＣ１の最大値を増加させるような回路を追加してもよい。このような回路は周知技術で実現可能であるので、詳細な説明は省略する。この構成を採用すれば、始動電圧Ｖｉｇｎが低下したときに終点周波数ｆｅｎを低下させる（共振周波数に近づける）ことにより、出力電圧Ｖｃｏｉｌを確保して光出力の低下やちらつちや立ち消えを抑制することができる。
【００４０】
（実施形態２）
本実施形態の基本構成は実施形態１と共通であるので、実施形態１と共通する部分については同じ符号を付して説明を省略する。
【００４１】
本実施形態は、図７に示すように、制御回路２の検出部２２において、ピークホールド回路２２ｂに代えて、積分回路（以下、後述する別の積分回路との区別のため、「第１の積分回路」と呼ぶ。）２２ａの後段に接続された微分回路２２ｃと、微分回路２２ｃの後段に接続された第２の積分回路２２ｄとを備える。
【００４２】
微分回路２２ｃは、負の入力端子がコンデンサＣ４を介して第１の積分回路２２ａの出力に接続され、正の入力端子がグランドに接続されるとともに、出力端子と負の入力端子とが抵抗Ｒ１９を介して接続されたオペアンプＯＰ５を備える。
【００４３】
第２の積分回路２２ｄは、微分回路２２ｃのオペアンプＯＰ５の出力端子と補正部２３のオペアンプＯＰ４の正の入力端子との間に介装された抵抗Ｒ２０と、一端が抵抗Ｒ２０と補正部２３のオペアンプＯＰ４との接続点に接続されるとともに他端がグランドに接続されたコンデンサＣ５とを備える。
【００４４】
ここで、図８に示すように、第１の積分回路２２ａのカットオフ周波数ｆｃ１は、常に動作周波数ｆｉｎｖよりも小さく且つ調光信号の周波数ｆｐｗｍよりも大きくしてあり、第２の積分回路２２ｄのカットオフ周波数ｆｃ２は、調光信号の周波数ｆｐｗｍよりも小さくしてある。すなわち、図９に示すように、第１の積分回路２２ａの出力Ｖｉｎｔ１の波形はインバータ回路１の出力電圧Ｖｃｏｉｌの波形の包絡線の形状となり、微分回路２２ｃの出力Ｖｄｉｆの波形は第１の積分回路２２ａの出力Ｖｉｎｔ１の傾きに応じた高さの矩形波となり、第２の積分回路２２ｄの出力は微分回路２２ｃの出力Ｖｄｉｆの高さに応じた値となる。すなわち、本実施形態の検出部２２において検出される検出値は出力電圧Ｖｃｏｉｌの上昇速度である。
【００４５】
上記構成によれば、実施形態１と同様の効果を得つつ、実施形態１に比べて回路構成を簡略化することができる。また、微分回路２２ｃや第２の積分回路２２ｄを設けない場合に比べ、ノイズの影響が除去されやすいからインバータ回路１の出力電圧Ｖｃｏｉｌに対してより精度よく対応した動作が可能となる。
【００４６】
（実施形態３）
本実施形態の基本構成は実施形態１と共通であるので、実施形態１と共通する部分については同じ符号を付して説明を省略する。
【００４７】
本実施形態は、実施形態１と比較すると、図１０に示すように、補正部２３において、基準電圧Ｖｒ１がオペアンプＯＰ４の正の入力端子に入力され、オペアンプＯＰ４とピークホールド回路２２ｂとが抵抗Ｒ６を介して接続され、オペアンプＯＰ４の出力端子と負の入力端子が抵抗Ｒ５を介して接続されている点が異なる。
【００４８】
すなわち、本実施形態では、図１１に示すように、検出部２２の出力に応じて終点周波数ｆｅｎを連続的に変化させるフィードバック制御により、始動電圧Ｖｉｇｎを回路の特性の変化によらず一定値Ｖｉｇｎ１に保っている。
【００４９】
上記構成によれば、共振周波数がいずれの方向に変化した場合であっても対応が可能となる。また、実施形態１において始動電圧Ｖｉｇｎが低下した場合に対応するための回路を追加する場合に比べ、回路構成が簡略化される。
【００５０】
（実施形態４）
本実施形態の基本構成は実施形態１と共通であるので、実施形態１と共通する部分については同じ符号を付して説明を省略する。
【００５１】
本実施形態は、実施形態１と比較すると、図１２に示すように、スイープ部２１において、スイッチング素子Ｑ７とグランドとの間に介装された抵抗Ｒ７と、抵抗Ｒ７の両端間に接続されたトランジスタＱ１２とを備える。トランジスタＱ１２のベースは、抵抗Ｒ８を介して、補正部２３のオペアンプＯＰ４の出力端子と抵抗Ｒ４との接続点に接続されている。
【００５２】
すなわち、本実施形態では、終点周波数ｆｅｎがｆｅｎ１からｆｅｎ３にΔｆｅｎだけ変更される際に、始点周波数ｆｓｔもｆｓｔ１からｆｓｔ３にΔｆｓｔだけ、終点周波数ｆｅｎと同じ方向に変更されている。
【００５３】
上記構成によれば、始点周波数ｆｓｔをも変更することにより、共振周波数が高くなった場合にスイープ動作の開始時の出力電圧Ｖｃｏｉｌの立ち上がりが緩やかとなるから、誘導コイル３においてコアのひずみによる騒音が低減される。
【００５４】
（実施形態５）
本実施形態の基本構成は実施形態３と共通であるので、実施形態３と共通する部分については同じ符号を付して説明を省略する。
【００５５】
本実施形態は、実施形態３と比較すると、図１４に示すように、スイープ部２１において、抵抗Ｒ３を備えずスイッチング素子Ｑ７の両端間が抵抗Ｒ２を介して接続され、補正部２３において、トランジスタＱ１１を備えず、抵抗Ｒ４はダイオードＤ５を介して駆動部１１の制御端子に接続されている点が異なる。
【００５６】
すなわち、実施形態４では終点周波数ｆｅｎを変更する幅Δｆｅｎと始点周波数ｆｓｔを変更する幅Δｆｓｔとが必ずしも一致しなかったのに対し、本実施形態では、図１５及び図１６に示すように、終点周波数ｆｅｎを変更する幅Δｆｅｎと始点周波数ｆｓｔを変更する幅Δｆｓｔとが揃えられて略一致している。
【００５７】
上記構成によれば、共振周波数が高くなった場合にもスイープ動作の開始時の出力電圧Ｖｃｏｉｌの立ち上がりの速さがほとんど変化しなくなるから、実施形態４よりもさらに騒音が低減されやすい。
【００５８】
（実施形態６）
本実施形態の基本構成は実施形態１と共通であるので、実施形態１と共通する部分については同じ符号を付して説明を省略する。
【００５９】
本実施形態は、実施形態１と比較すると、図１７に示すように、駆動部１１の制御端子が、ダイオードＤ６と例えばサーミスタからなり正の温度係数を有する温度検出部としての感温素子Ｔｈとの直列回路を介してグランドに接続されている点が異なる。
【００６０】
本実施形態は、周囲温度（すなわち、本実施形態が設置された位置での気温）の上昇時に誘導コイル３のインダクタンスが増大（すなわち共振周波数が低下）する場合に適用されるものであり、周囲温度の上昇時には感温素子Ｔｈの抵抗値が増大することにより始点周波数ｆｓｔと終点周波数ｆｅｎとがそれぞれ低下し、周囲温度の低下時には逆に始点周波数ｆｓｔと終点周波数ｆｅｎとがそれぞれ上昇する。
【００６１】
上記構成によれば、周囲温度の変化による始動電圧Ｖｉｇｎの変動が抑制され、騒音や光出力の低下といった不具合の発生を低減することができる。
【００６２】
実施形態１〜５や本実施形態のような無電極放電灯点灯装置は、図２０に示したような、誘導コイル３が巻回されて無電極放電灯を保持する環形状のソケット４１を有し直流電源Ｅやインバータ回路１や制御回路２が収納される器具本体４を備える照明器具に用いることができる。
【図面の簡単な説明】
【００６３】
【図１】本発明の実施形態１を示す回路図である。
【図２】同上の駆動部を示す回路図である。
【図３】駆動部の入力端の電位と動作周波数との関係を示す説明図である。
【図４】同上における動作周波数と出力電圧との関係を示す説明図である。
【図５】同上の動作を示す説明図である。
【図６】同上の動作を示す説明図である。
【図７】本発明の実施形態２を示す回路図である。
【図８】同上において各積分回路の特性を示す説明図である。
【図９】同上の動作を示す説明図である。
【図１０】本発明の実施形態３を示す回路図である。
【図１１】同上の動作を示す説明図である。
【図１２】本発明の実施形態４を示す回路図である。
【図１３】同上における動作周波数と出力電圧との関係を示す説明図である。
【図１４】本発明の実施形態５を示す回路図である。
【図１５】同上における動作周波数と出力電圧との関係を示す説明図である。
【図１６】同上の動作を示す説明図である。
【図１７】本発明の実施形態６を示す回路図である。
【図１８】動作周波数と出力電圧との関係の一例を示す説明図である。
【図１９】従来例の動作の一例を示す説明図である。
【図２０】照明器具の一例を示す正面図である。
【図２１】動作周波数と出力電圧との関係の別の例を示す説明図である。
【図２２】出力電圧の波形の一例を示す説明図である。
【符号の説明】
【００６４】
１  インバータ回路（請求項における電源部）
２  制御回路（請求項における制御部）
３  誘導コイル
２２  検出部
２２ａ  第１の積分回路
２２ｃ  微分回路
２２ｄ  第２の積分回路
４１  ソケット
Ｔｈ  感温素子（請求項における温度検出部）
Ｌａ  無電極放電灯
【図１】
2008010214.tif 000003
【図２】
2008010214.tif 000004
【図３】
2008010214.tif 000005
【図４】
2008010214.tif 000006
【図５】
2008010214.tif 000007
【図６】
2008010214.tif 000008
【図７】
2008010214.tif 000009
【図８】
2008010214.tif 000010
【図９】
2008010214.tif 000011
【図１０】
2008010214.tif 000012
【図１１】
2008010214.tif 000013
【図１２】
2008010214.tif 000014
【図１３】
2008010214.tif 000015
【図１４】
2008010214.tif 000016
【図１５】
2008010214.tif 000017
【図１６】
2008010214.tif 000018
【図１７】
2008010214.tif 000019
【図１８】
2008010214.tif 000020
【図１９】
2008010214.tif 000021
【図２０】
2008010214.tif 000022
【図２１】
2008010214.tif 000023
【図２２】
2008010214.tif 000024